(57)【要約】      （修正有）【課題】電子式モジュールを内蔵のケーシング内のエポキシ樹脂等の充填剤はコストが高い。【解決手段】電子式モジュール10であって、少なくとも2枚の回路基板12，13を有するケーシング11を備え、その中で1本以上の電気伝導体14の一端は、1枚の回路基板に連結され、他端は、他の回路基板に連結され、その電気伝導体の両端の連結部は、ウエッジボンディングの技術によって接合され、またケーシングの中で、電気伝導体の少なくとも一端の接合部は、ポリウレタン樹脂17で被覆されている。【選択図】図１
2012124459.tif 000002
【特許請求の範囲】
【請求項１】
車両の中に装備されるようになっている電子式モジュール（10，20）であって、少なくとも２枚の回路基板（12，13;  22，23）を有するケーシング（11，21）を備え、その中で、１本以上の電気伝導体（14，24）の一端を、１枚の回路基板に、他端を、別の回路基板に連結することによって、回路基板の全てを統合的に連結させ、その伝導体の先端は「ウエッジボンディング」技術で接合され、またケーシングの中で、電気伝導体の少なくとも一端は、ポリウレタン樹脂の保護皮膜で保護されていることを特徴とする電子式モジュール。
【請求項２】
２枚の回路基板のうちの１枚（12，22）はパワー基板であり、他方の回路基板（13，23）は制御基板であることを特徴とする請求項１に記載の電子式モジュール。
【請求項３】
保護樹脂（17）は、回路基板（13，23）を完全に被覆していることを特徴とする請求項2に記載の電子式モジュール。
【請求項４】
保護樹脂（27）は、パワー回路基板（22）のみを被覆していることを特徴とする請求項２に記載の電子式モジュール。
【請求項５】
制御基板（23）は、被覆樹脂（27）の上に配置されていることを特徴とする請求項４に記載の電子式モジュール。
【請求項６】
電気伝導体（14，24）は、直径250ミクロン以上のアルミ製電線であることを特徴とする請求項1〜5のいずれか１項に記載の電子式モジュール。
【請求項７】
電気伝導体（14，24）は、アルミ製リボンであることを特徴とする請求項1〜5のいずれか１項に記載の電子式モジュール。
【請求項８】
ケーシング（11，21）は、アルミ製であることを特徴とする請求項1〜7のいずれか１項に記載の電子式モジュール。
【発明の詳細な説明】
【技術分野】
【０００１】
本発明は、車両、例えば自動車に装備されるようになっている電子式モジュールに関する。本発明は、機械電子技術分野で使用される積載エレクトロニクスにおいて、回路基板または印刷回路基板（パワー電子回路、制御電子回路用）を、金属またはプラスチック製のケーシングの内面に装着した、あらゆる組立て部品に関する。本明細書における例は自動車用であるが、本発明は、それと近似又は類似する分野にも適用しうる。
【背景技術】
【０００２】
自動車に装備されている電子式モジュールは、通常、メーカー各社の規格に応じて、熱衝撃試験や振動試験を受ける。各メーカーの要求する品質規格を満足させるために、回路基板（パワー用および制御用）は、ケーシングの中で、各種の技術、中でも特に「ウエッジボンディング」と呼ばれる技術により、接合して装着されている。
【０００３】
この「ウエッジボンディング」技術とは、次のようなものである。最も一般的にはアルミの電線を、ある種の道具（スタイレット又はニードルと呼ばれる）で挿入して、パッドに接続させる。電線と接続面とを、圧力と超音波振動との組合せにより結合させる。ここで「冷間結合」と呼ばれる結合が行われる。超音波のエネルギーが、電線を加熱した場合と同様の作用を起こして、電線を軟化させる。次に、前記の道具により、電線をパッドに導いて結合させる。この電線は、直径がおよそ75〜650マイクロメートル（μｍ）のものである。
【０００４】
この結合が、酸化、熱衝撃、振動、湿気、熱などによって破壊されるのを防止するために、エポキシ系かアクリル系の樹脂、あるいはシリコーン系ゲル剤が用いられる。この樹脂類は、販売店を通じて手元に保管して置かれる。これらの樹脂は、オーブン内や紫外線で重合する性質がある。シリコーンゲルは、連結用電線を接合させるための保持部に流し込まれる。
【０００５】
エポキシ樹脂、アクリル樹脂およびシリコーンゲルは、断熱性、および電気的・機械的絶縁性能が優れている。しかし、これらを車輌搭載用の電子式モジュールに使用するのは、コスト高となるので、自動車メーカーはそれを嫌っている。
【発明の概要】
【発明が解決しようとする課題】
【０００６】
上記に説明した高コストの問題を改善するために、ケーシングの中の回路基板の保護剤（エポキシ樹脂、アクリル樹脂、シリコーンゲル）を、ポリウレタン樹脂で置き換えることが提案されている。ポリウレタン樹脂は、断熱性、電気絶縁性、機械的絶縁性において、公知の材料（エポキシ樹脂、アクリル樹脂、シリコーンゲル）と同等の特性を持っており、これを使用することによる材料面並びに価格面での経済的な利益は非常に大きい。
【０００７】
機械的性質と熱膨張率（220×10-6 m/℃）がすぐれているため、本発明は、直径250μｍ又はそれ以上のアルミ製電線とアルミ製リボンに対して有利に適用することが出来る。
【課題を解決するための手段】
【０００８】
従って、本発明の主題は、車両の中に装備されるようになっている電子式モジュールであって、そのモジュールは、少なくとも２枚の回路基板が、少なくとも１個の電気伝導体で相互に接合され、その電気伝導体の一端は回路基板の１枚に、他端は他方の回路基板に、いずれもウエッジボンディング技術によって接合されているケーシングを備え、そのケーシングの中で、電気伝導体の少なくとも一端は、ポリウレタン樹脂であることを特徴とする保護樹脂で被覆されているモジュールに関するものである。
【０００９】
２枚の回路基板のうちの１枚はパワー基板、他方の基板は制御基板である場合がある。ある実施例では、回路基板は完全に保護樹脂で被覆されている。
【００１０】
別の実施例では、パワー回路基板のみが保護樹脂で被覆されている。この場合、制御基板は、被覆樹脂の上に設けることが出来る。
【００１１】
電気伝導体は、直径250μｍ以上のアルミ製電線であるのが良い。またアルミ製のリボンでも良い。
【００１２】
ケーシングは、アルミ製であると有利である。
【００１３】
図示の本発明の非限定的な実施例に関する以下の説明を読めば、本発明とその利点および特徴につき、より良く理解することができると思う。
【図面の簡単な説明】
【００１４】
【図１】1枚のパワー回路基板と1枚の制御回路基板を備える本発明の電子式モジュールの第1実施例を示す。
【図２】1枚のパワー回路基板と1枚の制御回路基板を備える本発明の電子式モジュールの第2実施例を示す。
【発明を実施するための形態】
【００１５】
図１は、例えば、自動車に装備するようになっている電子式モジュール10を示す。このモジュールは、2枚の回路基板12 、13を含む、例えばアルミ製のケーシング11を備えている。回路基板12 および13（プリント回路基板）は、図示されていない装着手段（例えば、ボルト、ナットおよびワッシャー）を使ってケーシングに装着されている。
【００１６】
回路基板12は、例えばパワー基板であり、回路基板13は制御基板である。図１では、単純化のために、１本の導電体14のみを、２枚の回路基板12および13を連結させるものとして示してあるが、実際には数本の場合もある。同様に、モジュール10は、2枚以上の回路基板を備えていることがあり、その場合、各基板は、１本または複数の電気伝導体で、他の基板と連結することが出来る。
【００１７】
電気伝導体14は、回路基板12の電導パッド15を、回路基板13の電導パッド16に電気的に連結している。電気伝導体14の両端は、ウエッジボンディング技術により、パッド15および16に接合されている。このようにして、回路基板12における1個又は複数の電子式コンポーネントは、回路基板13の1個又は複数の電子式コンポーネントに接合されている。
【００１８】
図1に示すように、被覆樹脂17をケーシング11の中に注入し、2枚の回路基板を被覆するように重合させる。これにより、電気伝導体14の接合された両端は、酸化、熱衝撃、振動、および湿気に対して保護される。
【００１９】
図１は、回路基板が樹脂で完全に被覆されており、回路基板上に配置されたコンポーネントおよび基板が振動応力を受けても、保護されるようになっている本発明の一実施例を示す。
【００２０】
この保護樹脂は、電気伝導体の接合部の片方だけを被覆しても良く、あるいは、電気伝導体の両端を被覆しても良い。
【００２１】
図2は、本発明の第2実施例を示す。この実施例においては、電子式モジュール20は、2個の回路基板22および23が収容されているケーシング21を備えている。前例と同様に、回路基板22および23は、図示されていない装着手段によって、ケーシング21に装着されている。また前記のように、回路基板22はパワー基板であり、回路基板23は制御基板である。電気伝導体24は、回路基板22の電導パッド25を回路基板23の電導パッド26に電気的に連結させている。電気伝導体24の両端は、ウエッジボンディング技術によって、パッド25およびパッド26に結合されている。
【００２２】
図２に示すモジュールの場合は、被覆樹脂27をケーシング21に注入し、回路基板22のみを被覆するように重合させてある。
【００２３】
本発明の実施例に使用されるポリウレタン樹脂は、常温重合性の誘電性封止材用に
販売されている樹脂であるのが良い。それを使用すると、熱衝撃抵抗力は、−40℃から125℃まで有効であり、かつ30Ｇ以上の振動抵抗試験に合格する。
【００２４】
ポリウレタン樹脂は、パワー回路基板で発熱する熱を、0.4w/m.℃の率で、モジュールの金属ケーシングに放熱させることが出来る。
【００２５】
ポリウレタン樹脂を使用することにより、重合釜の使用が不要となる。図１に例示した電子式モジュールでは、接続用の電気伝導体は、樹脂で完全に被覆されおり、樹脂を堆積させるためのロボットや、重合のための紫外線ランプや光ファイバー導線などからなる装置も必要ないという利点を有している。製造時間も短縮される。
【００２６】
ポリウレタン樹脂は、安価で有利である。図１に示した例では、エポキシ樹脂の場合に比較して、製造コストが75％も削減される。さらに、ポリウレタン樹脂は放熱性を改善する。
【００２７】
ポリウレタン樹脂は、例えば、ショアー硬度計でスケールＡとなる硬度の材料である。
【００２８】
本発明はまた少なくとも1個のパワーコンポーネントを備えるパワーモジュールにも関する。このパワーモジュールは、パワーコンポーネントを搭載し、そのコンポーネントを前述した電子式モジュールの中で保護するために、ポリウレタン樹脂を充填したケーシングを備えている。パワーコンポーネントとは、例えれば、エレクトロニクスにおける金型である。パワーコンポーネントは電導性パッド15、16、25、26に、または前述のウエッジボンディングの技術で結合した電気伝導体14を通じて、別のパワーコンポーネントに、いずれも電気的に連結されているのが好ましい。電気伝導体14は、このコンポーネントの連結パッドに接着されている。
【００２９】
ある実施例においては、電気伝導体14とコンポーネントの連結パッド、即ち電導性パッド15、16、25、26は、ポリウレタン樹脂の中で、電気伝導体14の機械的形状を良好に保たせると言う特徴を有している。詳しく述べると、電気伝導体14は、電導性パッド15、16、25、26、即ち連結パッドの付近で、湾曲した形状となる。
【００３０】
例えば、電気伝導体14の各端は接合されており、両接合部間の水平線上の距離は、6 mmまたはそれ以上である。また両接合部間の垂直線上の距離は、10 mm またはそれ以下である。伝導体14の長さは、150xＤ (但し、Ｄは伝導体14の直径)、またはそれ以下で良い。伝導体14の直径Ｄは、好ましくは、300〜500ミクロンの範囲内が良い。これらの値とすると、ポリウレタン樹脂内における伝導体14の性能は向上する。
【符号の説明】
【００３１】
10、20  電子式モジュール
11、21  ケーシング
12、22  プリント回路パワー基板
13、23  プリント回路制御基板
14、24  電気伝導体
15、16、25、26  電導パッド
17、27  保護被覆樹脂
【図１】
2012124459.tif 000003
【図２】
2012124459.tif 000004
【外国語明細書】
2012124459000001.pdf